(57)【要約】【課題】電力変換の効率を考慮しても電力料金の負担が軽減される場合に限って、夜間に充電された蓄電池の放電電力を負荷に供給する給電システムおよび給電方法を提供する。【解決手段】本発明に係る給電システム１は、昼間電力料金が適用される時間帯に、夜間電力料金が適用される時間帯の系統Ｇの電力で予め充電された蓄電池Ｂの放電電力および系統Ｇの電力のいずれかを負荷に供給するものであって、昼間電力料金が適用される時間帯に、充電効率、給電が直ちに開始された場合の給電見込み効率および夜間電力料金から算出した給電電力費用と、昼間電力料金とを比較し、給電電力費用が昼間電力料金よりも安い場合に、電力遮断部４を制御して系統電力線６から負荷電力線７への電力の供給を遮断するとともに給電部３を作動させて、負荷Ｌに蓄電池Ｂの放電電力を供給することを特徴とする。【選択図】図１
2015050783.tif 000002
【特許請求の範囲】
【請求項１】
昼間電力料金が適用される時間帯に、夜間電力料金が適用される時間帯の系統の電力で予め充電された蓄電池の放電電力および前記系統の電力のいずれかを負荷に供給する給電システムであって、
前記系統の電力を直流電力に変換し、前記蓄電池を充電する充電機能と、前記蓄電池の放電電力を交流電力に変換し、前記負荷に供給する給電機能とを有する電力変換部と、
前記系統と前記電力変換部とを繋ぐ系統電力線と、
前記負荷と前記電力変換部とを繋ぐ負荷電力線と、
前記系統電力線と前記負荷電力線とを繋ぐ直通電力線と、
前記直通電力線に介装された電力遮断部と、
前記電力変換部および前記電力遮断部を制御する制御部と、を備え、
前記制御部は、
前記昼間電力料金および前記夜間電力料金が格納された記憶部を有し、
前記昼間電力料金が適用される時間帯に、充電時の充電効率、給電が直ちに開始された場合の給電見込み効率および前記夜間電力料金から算出した給電電力費用と、前記昼間電力料金とを比較し、前記給電電力費用が前記昼間電力料金よりも安い場合に、前記電力遮断部を制御して前記系統電力線から前記負荷電力線への電力の供給を遮断するとともに前記電力変換部を作動させて、前記負荷に前記蓄電池の放電電力を供給する、
ことを特徴とする給電システム。
【請求項２】
前記負荷電力線に介装された給電検知部をさらに備え、
前記記憶部に、前記給電効率が給電電流値または給電電力値に対応付けられて格納されており、
前記制御部は、前記給電検知部によって検知された給電電力値または前記給電電流値に対応した効率を前記記憶部から読み出し、該効率を前記見込み効率として前記給電電力費用を算出する、
ことを特徴とする請求項１に記載の給電システム。
【請求項３】
前記制御部は、
前記給電電力費用と前記昼間電力料金とを比較した結果に基づいて前記給電を開始させる一方、
前記給電電力費用と前記昼間電力料金に所定の料金αを加えた料金とを比較し、前記給電電力費用が、前記昼間電力料金に所定の料金αを加えた料金よりも高くなった場合に、前記給電を停止させる
ことを特徴とする請求項１または２に記載の給電システム。
【請求項４】
前記制御部は、前記給電電力費用が前記昼間電力料金よりも安くなってから所定の遅延時間が経過した後に給電を開始させるか、または、前記給電電力費用が前記昼間電力料金よりも高くなってから前記所定の遅延時間が経過した後に給電を停止させる
ことを特徴とする請求項１または２に記載の給電システム。
【請求項５】
昼間電力料金が適用される時間帯に、系統の電力の代わりに、夜間電力料金が適用される時間帯の前記系統の電力で予め充電された蓄電池の放電電力を負荷に供給するか否かを、前記系統の電力を直流電力に変換して前記蓄電池を充電する時の充電効率、前記放電電力を交流電力に変換して前記負荷に供給する給電を直ちに開始した場合の給電見込み効率および前記夜間電力料金から算出した給電電力費用が、前記昼間電力料金よりも安いか否かにより決定する、
ことを特徴とする給電方法。
【発明の詳細な説明】
【技術分野】
【０００１】
本発明は、蓄電池の放電電力および系統の電力のいずれかを負荷に供給する給電システムおよび給電方法に関する。
【背景技術】
【０００２】
従来から、安い夜間電力料金が適用される時間帯（例えば、２３時〜７時。以下、「夜間」という）に系統の電力で充電しておいた蓄電池の放電電力を、昼間電力料金が適用される時間帯（例えば、７時〜２３時。以下、「昼間」という）に負荷が必要とする電力の全部または一部とする給電システムが使用されている。また、近年では、電気自動車やハイブリッドカー等の電動車に搭載されているバッテリーを該システムの蓄電池とする技術も利用され始めている。このような給電システムによれば、昼間電力料金と夜間電力料金との差額に応じた分だけ電力会社に支払う電力料金を節約することができる。
【０００３】
ここで、蓄電池を充電する際には、系統の電力（交流電力）を所定の直流電力に変換する必要がある。また、蓄電池の放電電力を負荷に供給する際には、該放電電力（直流電力）を系統の電力と同等の交流電力に変換する必要がある。すなわち、夜間に充電しておいた蓄電池の放電電力を昼間に利用するためには、２度の電力変換を行う必要がある。このため、上記給電システムでは、電力変換の効率が低い場合に、期待通りの電力料金の節約が行えないどころか、電力料金の負担がかえって増大することがある。
【０００４】
なお、上記給電システムに関連した従来技術としては、例えば、特許文献１に記載のピークカット装置がある。このピークカット装置は、充電器／インバータ部の効率が低いためにランニングコストが高くつく季節（夏季以外の季節）に、ピークカット動作、すなわち、蓄電池の放電電力を負荷が必要とする電力の一部または全部とする動作を禁止することを特徴としている。一方、このピークカット装置は、ランニングコストが高くつかない季節（夏季）においては、系統から負荷に供給されている電力が所定値を超えたことをきっかけにして、直ちにピークカット動作を行うよう構成されている。
【０００５】
すなわち、特許文献１のピークカット装置では、充電器／インバータ部の効率に基づいてピークカット動作を許可するか否かが決定されるが、ピークカット動作が許可された季節に実際にピークカット動作を行うか否かの判断においては、充電器／インバータ部の効率は考慮されない。
【先行技術文献】
【特許文献】
【０００６】
【特許文献１】特開２００３−１８９４７０号公報
【発明の概要】
【発明が解決しようとする課題】
【０００７】
本発明は上記事情に鑑みてなされたものであって、その課題とするところは、電力変換の効率を考慮しても電力料金の負担が軽減される場合に限って、夜間に充電された蓄電池の放電電力を負荷に供給する給電システムおよび給電方法を提供することにある。
【課題を解決するための手段】
【０００８】
上記課題を解決するために、本発明に係る給電システムは、昼間電力料金が適用される時間帯に、夜間電力料金が適用される時間帯の系統の電力で予め充電された蓄電池の放電電力および系統の電力のいずれかを負荷に供給する給電システムであって、系統の電力を直流電力に変換し、蓄電池を充電する充電機能と、蓄電池の放電電力を交流電力に変換し、負荷に供給する給電機能とを有する電力変換部と、系統と電力変換部とを繋ぐ系統電力線と、負荷と電力変換部とを繋ぐ負荷電力線と、系統電力線と負荷電力線とを繋ぐ電力線と、直通電力線に介装された電力遮断部と、電力変換部および電力遮断部を制御する制御部とを備え、制御部は、昼間電力料金および夜間電力料金が格納された記憶部を有し、昼間電力料金が適用される時間帯に、充電時の充電効率、給電が直ちに開始された場合の該給電見込み効率および夜間電力料金から算出した給電電力費用と、昼間電力料金とを比較し、給電電力費用が昼間電力料金よりも安い場合に、電力遮断部を制御して系統電力線から負荷電力線への電力の供給を遮断するとともに、電力変換部を作動させて負荷に蓄電池の放電電力を供給することを特徴とする。
【０００９】
この構成によれば、電力変換部による充電時の充電効率、給電が直ちに開始された場合の給電見込み効率、および夜間電力料金から給電電力費用を高精度に算出し、該給電電力費用が昼間電力料金よりも安い場合に限って蓄電池の放電電力を負荷に供給するので、電力料金の負担を確実に軽減することができる。
【００１０】
上記給電システムの具体的な構成としては、例えば、負荷電力線に介装された給電検知部をさらに備え、記憶部に、給電効率が給電電流値または給電電力値に対応付けられて格納されており、制御部は、給電検知部によって検知された給電電力値または給電電流値に対応した効率を記憶部から読み出し、該効率を見込み効率として給電電力費用を算出する構成が考えられる。
【００１１】
上記給電システムの制御部は、（１）給電電力費用と昼間電力料金とを比較した結果に基づいて給電を開始させる一方、給電電力費用と昼間電力料金に所定の料金αを加えた料金とを比較し、給電電力費用が、昼間電力料金に所定の料金αを加えた料金よりも高くなった場合に給電を停止させるか、（２）給電電力費用が昼間電力料金よりも安くなってから所定の遅延時間が経過した後に制御部が給電を開始させるか、または、（３）給電電力費用が昼間電力料金よりも高くなってから所定の遅延時間が経過した後に制御部が給電を停止させることが好ましい。
【００１２】
この構成によれば、給電電力費用と昼間電力料金との差が小さい場合に、給電開始と給電停止とが頻繁に繰り返され、これにより、負荷に供給される電力が不安定になるのを防ぐことができる。
【００１３】
また、本発明に係る給電方法は、昼間電力料金が適用される時間帯に、系統の電力の代わりに、夜間電力料金が適用される時間帯の系統の電力で予め充電された蓄電池の放電電力を負荷に供給するか否かを、系統の電力を直流電力に変換して蓄電池を充電する時の充電効率、放電電力を交流電力に変換して負荷に供給する給電を直ちに開始した場合の給電見込み効率および夜間電力料金から算出した給電電力費用が、昼間電力料金よりも安いか否かにより決定することを特徴とする。
【００１４】
この構成によれば、上記給電システムと同様に、充電時の充電効率、給電が直ちに開始された場合の給電見込み効率、および夜間電力料金から給電電力費用を高精度に算出し、該給電電力費用が昼間電力料金よりも安い場合に限って蓄電池の放電電力を負荷に供給するので、電力料金の負担を確実に軽減することができる。
【発明の効果】
【００１５】
本発明によれば、電力変換の効率を考慮しても電力料金の負担が軽減される場合に限って、夜間に充電された蓄電池の放電電力を負荷に供給する給電システムおよび給電方法を提供することができる。
【図面の簡単な説明】
【００１６】
【図１】本発明に係る給電システムのブロック図である。
【図２】本発明に係る給電方法の給電開始時のフローチャートである。
【図３】本発明に係る給電方法の給電停止時のフローチャートである。
【図４】本発明に係る給電システムの動作の一例を示すグラフである。
【発明を実施するための形態】
【００１７】
以下、添付図面を参照しつつ、本発明に係る給電システムおよび給電方法の実施例について説明する。なお、実施例では、「蓄電池」を電気自動車に搭載されたバッテリーとし、「負荷」を一般家庭における家庭負荷（電化製品等）としたが、これらは単なる一例である。
【００１８】
図１に、本発明の実施例に係る給電システム１を示す。給電システム１は、夜間に系統Ｇの電力で充電しておいたバッテリーＢの放電電力を、系統Ｇの電力の代わりに昼間に複数の家庭負荷Ｌに供給することができるよう構成されている。同図に示すように、給電システム１は、系統Ｇと、一般家庭に設置された分電盤Ｐと、電気自動車ＥＶに搭載されたバッテリーＢとに電気的に接続されている。給電対象となる家庭負荷Ｌは、分電盤Ｐに接続されている。
【００１９】
給電システム１は、充電機能を担う充電部２および給電機能を担う給電部３からなる電力変換部と、これを制御する制御部１０とを備えている。充電部２は、系統電力線６を介して供給された系統Ｇの電力（交流電力、例えば、２００［ＶＡＣ］）を所定の直流電力（例えば、３８０［ＶＤＣ］）に変換し、該直流電力によりバッテリーＢを充電する。この充電動作は、制御部１０からの指令により開始または停止させられる。一方、給電部３は、バッテリーＢの放電電力（直流電力）を系統Ｇの電力と同等の交流電力（例えば、２００［ＶＡＣ］）に変換し、負荷電力線７および分電盤Ｐを介して該交流電力を家庭負荷Ｌに供給する。この給電動作は、制御部１０からの指令により開始または停止させられる。
【００２０】
図１に示すように、給電システム１は、直通電力線８、および該直通電力線８に介装された電力遮断部４をさらに備えている。直通電力線８は、系統電力線６および負荷電力線７に接続されている。また、電力遮断部４は、リレーまたは電磁接触器からなる。制御部１０からの指令により電力遮断部４が閉状態とされているとき、直通電力線８は、系統電力線６から負荷電力線７への電力供給を可能にする。言い換えると、直通電力線８は、電力遮断部４が閉状態とされているときに、系統Ｇの電力を充電部２や給電部３を経由することなく直接家庭負荷Ｌに供給することを可能にする。一方、制御部１０からの指令により電力遮断部４が開状態とされているとき、直通電力線８を介しての直接的な給電は行われない。
【００２１】
なお、制御部１０は、電力遮断部４を閉状態としているときに、給電部３に給電動作を行わせることはない。直通電力線８を介して、バッテリーＢの放電電力が系統Ｇに逆潮流するおそれがあるからである。
【００２２】
給電システム１は、負荷電力線７に介装された給電検知部５をさらに備えている。給電検知部５は、負荷電力線７を流れる電流の値（以下、「給電電流値」という）を連続的に、または一定時間おきに検知し、検知した給電電流値に応じた信号を制御部１０に送る。電力遮断部４が閉状態とされているとき、給電検知部５は、系統Ｇから家庭負荷Ｌに向かって流れている電流を検知する。一方、電力遮断部４が開状態とされているとき、給電検知部５は、給電部３から家庭負荷Ｌに向かって流れている電流を検知する。
【００２３】
なお、実使用上は、充電時の消費電流（系統Ｇから家庭負荷Ｌに向かって流れる電流＋系統Ｇから充電部２に向かって流れる電流）を計測する必要もあるため、給電システム１は、系統電力線６（直通電力線８に対し系統Ｇ側）に介装された系統電流検知部をさらに備える場合が多い。この場合は、電力遮断部４が閉状態とされているときに系統Ｇから家庭負荷Ｌに向かって流れている電流を、給電検知部５に替えて系統電流検知部で検知することも可能である。給電開始の判定時には充電を行っていないため、系統Ｇから充電部２に向かって流れる電流が実質的に０となり、系統電流検知部で検知される電流値と給電検知部５で検知される電流値とが等しくなるためである。
【００２４】
給電システム１は、ユーザーによって操作される操作部９をさらに備えている。操作部９は、充電部２によるバッテリーＢの充電を開始させるための指令手段と、給電部３による家庭負荷Ｌへの給電を開始させるための指令手段とを有している。これらの指令手段は、ボタン、タッチパネル等のユーザーが操作可能な任意の指令手段とすることができる。操作部９は、給電システム１の動作状態を表示するための表示手段（ディスプレイ等）をさらに備えていてもよい。
【００２５】
ユーザーによる充電開始の操作が昼間に行われた場合、制御部１０は、夜になるのを待って充電部２によるバッテリーＢの充電を開始させる。一方、該操作が夜間に行われた場合、制御部１０は、直ちに充電を開始させる。
【００２６】
ユーザーによる給電開始の操作が昼間に行われた場合、制御部１０は、後述の条件が成立したことをきっかけにして給電部３による給電を開始させる。一方、該操作が夜間に行われた場合、制御部１０は、昼になり、さらに、後述の条件が成立したことをきっかけにして給電部３による給電を開始させる。このように、本実施例に係る給電システム１では、給電開始の操作が行われても、後述の条件が成立しない限りは給電部３による給電、すなわち、バッテリーＢの放電電力の利用は行われない。
【００２７】
図１に示すように、制御部１０は、処理部１１、記憶部１２、入出力部１３、通信部１４、および計時部１５を有している。マイコン等からなる処理部１１は、入出力部１３を介して、給電検知部５からの信号および操作部９からの指令を受け取るとともに、電力遮断部４を開閉させる。また、処理部１１は、通信部１４を介して、充電部２、給電部３および電気自動車ＥＶに制御信号を送信したり、充電部２、給電部３および電気自動車ＥＶ（バッテリーＢ）の状態に関する信号を受信したりする。
【００２８】
記憶部１２は、不揮発性のメモリからなる。記憶部１２には、昼間電力料金（単位は、［円／ｋＷｈ］）、夜間電力料金（単位は、［円／ｋＷｈ］）、充電部２の効率（単位は、［％］）、および給電部３の効率（単位は、［％］）が少なくとも格納されている。
【００２９】
系統Ｇの電力（２００［ＶＡＣ］）を所定の直流電力（３８０［ＶＤＣ］）に変換するときの充電部２の効率は、充電部２の回路構成にもよるが、一般に９０［％］程度である。このため、記憶部１２には、充電部２の充電効率として“９０［％］”が格納されている。一方、給電部３の効率は、給電電流値に応じて変動する。このため、表１に示すように、記憶部１２には、給電電流値に対応付けられた効率が格納されている。例えば、給電電流値が２５［Ａ］である場合の給電部３の効率は、８５［％］である。また、給電電流値が５［Ａ］である場合の給電部３の効率は、７０［％］である。表１に示すように、給電部３の効率は、給電電流値が少なくなると、急激に低下する傾向を有している。
【表１】
2015050783.tif 000003
【００３０】
処理部１１は、記憶部１２に格納された上記の情報を読み出すことができる。
【００３１】
計時部１５は、処理部１１からの要求に応じて現在時刻に対応した信号を処理部１１に出力する。そして、処理部１１は、受け取った現在時刻に対応した信号に基づいてユーザーによる操作が昼間に行われたものか夜間に行われたものかを判定する。なお、昼間電力料金および／または夜間電力料金が季節により異なり、記憶部１２に季節毎の複数の情報が格納されている場合、計時部１５は、現在時刻に対応した信号とともに月日に対応した信号も出力する。これにより、処理部１１は、適切な情報を記憶部１２から読み出すことができる。
【００３２】
続いて、図２を参照しながら、昼間にユーザーが給電開始の操作を行った場合の給電システム１の動作について説明する。
【００３３】
給電開始の操作が行われると、処理部１１は、昼間電力料金、夜間電力料金、および充電部２の効率を記憶部１２から読み出すとともに（ステップＳ１）、給電検知部５から最新の（現在の）給電電流値を取得する（ステップＳ２）。給電部３による給電がまだ開始されていないので、処理部１１は、系統Ｇから家庭負荷Ｌに向かって流れている電流の値を取得したことになる。
【００３４】
その後、処理部１１は、取得した給電電流値に対応した給電部３の効率を記憶部１２から読み出す（ステップＳ３）。例えば、給電電流値が２５［Ａ］である場合、処理部１１は、“８５［％］”を読み出す（表１参照）。
【００３５】
後述するステップＳ５による判断の結果、系統Ｇの電力に代えてバッテリーＢの放電電力を家庭負荷Ｌに供給することになった場合、給電部３は、それまで系統Ｇから家庭負荷Ｌに向かって流れていたのと同じ量の電流を家庭負荷Ｌに向けて出力することになる。つまり、ステップＳ３では、給電部３による給電が直ちに開始されたと仮定した場合の該給電部３の見込み効率を求めたことになる。
【００３６】
続いて、処理部１１は、次式（１）により給電電力費用を算出する（ステップＳ４）。
給電電力費用
＝夜間電力料金÷（充電部の効率／１００）÷（給電部の見込み効率／１００）
・・・（１）
例えば、夜間電力料金が１１［円／ｋＷｈ］、充電部２の効率が８５［％］、給電部３の見込み効率が８０［％］である場合、給電電力費用は１６．２［円／ｋＷｈ］となる。また、夜間電力料金および充電部２の効率が上記の通りであり、給電部３の見込み効率が５０［％］である場合、給電電力費用は２５．９［円／ｋＷｈ］となる。いずれの場合も、給電電力費用は夜間電力料金よりも高い。これは、充電部２および給電部３において損失が発生し、バッテリーＢを充電するために使用した系統Ｇの電力の一部が無駄になったからである。
【００３７】
給電電力費用を算出し終えると、処理部１１は、給電電力費用と昼間電力料金との比較を行う（ステップＳ５）。そして、給電電力費用が昼間電力費用よりも安い場合は、ステップＳ６を実行する。一方、両者が等しい場合、および給電電力費用が昼間電力費用よりも高い場合は、ステップＳ２以降のステップを再び実行する。ステップＳ２〜Ｓ５は、ステップＳ５の条件が成立するまで繰り返し実行される。
【００３８】
例えば、給電電力費用が１６．２［円／ｋＷｈ］、昼間電力料金が２５［円／ｋＷｈ］である場合は、給電電力費用の方が安く、家庭負荷Ｌの使用電力をこのまま系統Ｇの電力で賄い続けるよりも、バッテリーＢの放電電力を利用した方が電力料金の負担が軽減されるので、処理部１１は、電力遮断部４を開状態に切り替えるとともに、給電部３を作動させ、バッテリーＢの放電電力を家庭負荷Ｌに供給させる。一方、給電電力費用が２５．９［円／ｋＷｈ］、昼間電力料金が２５［円／ｋＷｈ］である場合は、給電電力費用の方が高く、バッテリーＢの放電電力を利用するとかえって電力料金の負担が増大してしまうので、系統Ｇの電力を家庭負荷Ｌに供給し続ける。
【００３９】
なお、図２には表れていないが、系統Ｇが停電している場合、処理部１１は、ステップＳ５の判定（給電開始条件判定）を行うことなくステップＳ６を実行して給電を開始させる。すなわち、停電時には経済効果よりも停電回避を優先し、給電電力費用が昼間電力費用より高い場合でも給電を開始させる。これにより、系統Ｇの停電時にバッテリーＢの放電電力が家庭負荷Ｌに供給されず、家庭負荷Ｌが停電状態となるのを回避することができる。停電の検知は、例えば、系統Ｇの電圧波形を観測し、電圧波形が現れなくなるのを検出することで行われる。
【００４０】
次に、図３を参照しながら、給電部３による給電が開始された後の給電システム１の動作について説明する。
【００４１】
給電部３による給電が開始されると、処理部１１は、ステップＳ２に相当するステップＳ７を実行し、給電検知部５から最新の（現在の）給電電流値を取得する。給電部３による給電がすでに開始されているので、処理部１１は、給電部３から家庭負荷Ｌに向かって流れている電流の値を取得したことになる。なお、ステップＳ７の前に、ステップＳ１に相当するステップを実行しないのは、先に実行したステップＳ１において必要な情報の読み出しが既に終了しているからである。
【００４２】
その後、処理部１１は、ステップＳ３に相当するステップＳ８を実行し、取得した給電電流値に対応した給電部３の効率を記憶部１２から読み出す。
【００４３】
さらにその後、処理部１１は、ステップＳ４と同様に、上記式（１）により給電電力費用を算出する（ステップＳ９）。
【００４４】
給電電力費用を算出し終えると、処理部１１は、給電電力費用と昼間電力料金にαを加えたものとの比較を行う（ステップＳ１０）。そして、給電電力費用が昼間電力費用にαを加えたものよりも安い場合は、ステップＳ７以降のステップを再び実行する。一方、両者が等しい場合、および給電電力費用が昼間電力費用にαを加えたものよりも高い場合は、ステップＳ１１を実行する。ステップＳ７〜Ｓ１０は、ステップＳ１０の条件が成立するまで繰り返し実行される。
【００４５】
ここで、αは、ステップＳ５における判定とステップＳ１０における判定とにヒステリシスを設けるための定数（単位は、［円／ｋＷｈ］）である。給電開始の判定と給電停止の判定との間にヒステリシスを設けることにより、給電電力費用と昼間電力料金との差が小さい場合に、給電部３が給電開始と給電停止とを頻繁に繰り返すのを防ぐことができる。一方、ヒステリシスを設けると、給電電力費用が昼間電力費用より高くなっても、両者の差が定数αを下回っている間は給電部３による給電を引き続き行うことになるので、電力料金の負担が多少増大する。定数αをどの程度とするかは、ヒステリシスを設けた場合のメリットおよびデメリットを考量して決定する必要がある。
【００４６】
ステップＳ１０における条件が成立した場合、処理部１１は、電力遮断部４を閉状態に切り替えるとともに、給電部３を停止させ、家庭負荷Ｌに供給する電力をバッテリーＢの放電電力から系統Ｇの電力に切り替える。
【００４７】
図４に、実施例に係る給電システム１の動作の具体例を示す。
【００４８】
まず、時間ｔ０において給電開始の操作がなされると、ステップＳ１〜Ｓ４が順次実行され、給電電力費用が算出される。そして、給電電力費用と昼間電力料金とを比較した結果に基づき、直ちに給電部３による給電が開始される（ステップＳ５、Ｓ６）。
【００４９】
その後、時間ｔ１において給電電力費用が昼間電力料金に定数αを加えたものに等しくなると、給電部３による給電が停止されるとともに、系統Ｇの電力が家庭負荷Ｌに供給され始める（ステップＳ１０、Ｓ１１）。
【００５０】
さらにその後、時間ｔ２において給電電力費用が昼間電力料金よりも安くなると、給電部３による給電が再開される（ステップＳ５、Ｓ６）。
【００５１】
以上のように、実施例に係る給電システム１によれば、充電部２の効率、給電部３により給電が直ちに開始された場合の該給電部３の見込み効率、および夜間電力料金から給電電力費用を高精度に算出し、該給電電力費用が昼間電力料金よりも安い場合に限ってバッテリーＢの放電電力を家庭負荷Ｌに供給するので、電力料金の負担を確実に軽減することができる。
【００５２】
なお、本発明に係る給電システムは、上記実施例に限定されるものではなく、種々の変形例が考えられる。
【００５３】
例えば、給電検知部５は、家庭負荷Ｌに供給されている電力（給電電力）を連続的に、または一定時間おきに検知してもよい。この場合は、表２に示すように、給電部３の効率を給電電力値に対応付けて記憶部１２に格納すればよい。
【表２】
2015050783.tif 000004
【００５４】
また、定数αによるヒステリシスを設ける代わりに、ステップＳ５の条件が成立してからステップＳ６を実行するまでの間、および、ステップＳ１０の条件が成立してからステップＳ１１を実行するまでの間に所定の遅延時間を設け、該遅延時間の間にステップＳ５またはＳ１０の条件が不成立とならなかった場合に限ってステップＳ６またはＳ１１を実行するようにしてもよい。この構成においても、ヒステリシスを設けた場合と同様、給電部３が給電開始と給電停止とを頻繁に繰り返すのを防ぐことができる。
【００５５】
また、本発明に給電システムは、操作部９が省略されていてもよい。この場合は、夜間の予め決められた時間になると、バッテリーＢの充電が自動的に開始されるとともに、昼間にステップＳ５の条件を満たせば給電部３による給電が自動的に開始されるよう構成すればよい。
【００５６】
また、上記実施例では、電力変換部を独立した充電部（ＡＣ→ＤＣ）２と給電部（ＤＣ→ＡＣ）３とで構成しているが、充電機能と給電機能とを有する双方向ＡＣ−ＤＣコンバータで電力変換部を構成してもよい。
【符号の説明】
【００５７】
１    給電システム
２    充電部
３    給電部
４    電力遮断部
５    給電検知部
６    系統電力線
７    負荷電力線
８    直通電力線
９    操作部
１０    制御部
１１    処理部
１２    記憶部
１３    入出力部
１４    通信部
Ｂ      バッテリー（蓄電池）
ＥＶ    電気自動車
Ｇ      系統
Ｌ      家庭負荷（負荷）
Ｐ      分電盤
【図１】
2015050783.tif 000005
【図２】
2015050783.tif 000006
【図３】
2015050783.tif 000007
【図４】
2015050783.tif 000008